(57)【要約】【課題】溶剤ガスの吸引口部材を版替に支障のない位置に自動的に移動可能とする。【解決手段】グラビア印刷機のインキパン（１）の口縁近傍において版胴（２）の軸方向に沿うように配置された溶剤ガス（Ｇ）の吸引口部材（８）と、この吸引口部材（８）に連結されたフレキシブルダクト（９）とを具備し、吸引口部材（８）が版胴（２）に対し接離可能な圧胴（３）側に連結され、圧胴（３）が版胴（２）に対し接離する際に吸引口部材（８）が圧胴（３）と一体で移動可能とされる。【選択図】図１
2013202808.tif 000002
【特許請求の範囲】
【請求項１】
グラビア印刷機のインキパンの口縁近傍において版胴の軸方向に沿うように配置された溶剤ガスの吸引口部材と、この吸引口部材に連結されたフレキシブルダクトとを具備し、上記吸引口部材が上記版胴に対し接離可能な圧胴側に連結され、上記圧胴が上記版胴に対し接離する際に上記吸引口部材が上記圧胴と一体で移動可能とされたことを特徴とするグラビア印刷機用排気装置。
【請求項２】
グラビア印刷機の版胴とファニッシャロールとの接触箇所の両側近傍に配置された溶剤ガスの吸引口部材と、この吸引口部材に連結されたフレキシブルダクトとを具備し、上記吸引口部材が上記版胴に対し接離可能な上記ファニッシャロール側に連結され、上記ファニッシャロールが上記版胴に対し接離する際に上記吸引口部材が上記ファニッシャロールと一体で移動可能とされたことを特徴とするグラビア印刷機用排気装置。
【請求項３】
請求項１又は請求項２に記載のグラビア印刷機用排気装置において、吸引口部材が、版胴に接触可能に設けられるドクタとは版胴の軸を中心にした反対側に配置されたことを特徴とするグラビア印刷機用排気装置。
【発明の詳細な説明】
【技術分野】
【０００１】
本発明は、グラビア印刷機に設けられる排気装置に関する。
【背景技術】
【０００２】
グラビア印刷用のインキは、その溶剤にトルエン等の有機溶剤を用いるので、グラビア印刷機におけるインキを貯留し又はインキの落下を受け止めるインキパンの周辺には、溶剤ガスの吸引手段を設けることが有機溶剤中毒予防規則で義務付けられている。
【０００３】
しかし、吸引手段の設置によって、印刷ユニット回りでの清掃、版交換等の作業を妨げるものであってはならないので、従来はインキパンをその下方から包含するようなフードを設け、インキパン内から出る溶剤ガスをフードで受けて排出ダクトへと導くようにしている（例えば、特許文献１参照）。また、四角形の枠型の吸引ダクトをインキパンの上方でウェブに対向するように配置しておき、版交換等を行う際はこの吸引ダクトを上方の待機位置に跳ね上げておくようにしている（例えば、特許文献２参照）。
【先行技術文献】
【特許文献】
【０００４】
【特許文献１】特開昭６０−５４８５２号公報
【特許文献２】特開平１０−１６１８１号公報
【発明の概要】
【発明が解決しようとする課題】
【０００５】
前者のインキパン下方をフードで覆う方法は、装置構造が非常に大型になることから高コストとなり、印刷ユニット回りの限られたスペースには取付けが困難である。また、印刷ユニットのドクタ側に大型の排気ダクト等が配置されているため、ドクタ側からの作業が困難である。
【０００６】
後者の吸引ダクトを跳ね上げ式にすることは、作業者に対する負担が大きい。加えて、溶剤の拡散源であるインキパンの上方で空気よりも重い溶剤ガスを吸引するため、大きな吸引能力を必要とし排気効率が良くない。
【０００７】
したがって、本発明は上記問題点を解決することができるグラビア印刷機用排気装置を提供することを目的とする。
【課題を解決するための手段】
【０００８】
上記課題を解決するため、本発明は次のような構成を採用する。
【０００９】
なお、本発明の理解を容易にするため括弧付きの符号を付すが、本発明はこれに限定されるものではない。
【００１０】
すなわち、請求項１に係る発明は、グラビア印刷機のインキパン（１）の口縁近傍において版胴（２）の軸方向に沿うように配置された溶剤ガス（Ｇ）の吸引口部材（８）と、この吸引口部材（８）に連結されたフレキシブルダクト（９）とを具備し、上記吸引口部材（８）が上記版胴（２）に対し接離可能な圧胴（３）側に連結され、上記圧胴（３）が上記版胴（２）に対し接離する際に上記吸引口部材（８）が上記圧胴（３）と一体で移動可能とされたグラビア印刷機用排気装置を採用する。
【００１１】
また、請求項２に係る発明は、グラビア印刷機の版胴（２）とファニッシャロール（１１）との接触箇所の両側近傍に配置された溶剤ガス（Ｇ）の吸引口部材（８）と、この吸引口部材（８）に連結されたフレキシブルダクト（９）とを具備し、上記吸引口部材（８）が上記版胴（２）に対し接離可能な上記ファニッシャロール（１１）側に連結され、上記ファニッシャロール（１１）が上記版胴（２）に対し接離する際に上記吸引口部材（８）が上記ファニッシャロール（１１）と一体で移動可能とされたグラビア印刷機用排気装置を採用する。
【００１２】
請求項３に記載されるように、請求項１又は請求項２に記載のグラビア印刷機用排気装置において、吸引口部材（８）が、版胴（２）に接触可能に設けられるドクタ（５）とは版胴（２）の軸（２ａ）を中心にした反対側に配置されたものとすることができる。
【発明の効果】
【００１３】
本発明によれば、吸引口部材（８）を小型化することができるので、スペースの狭い印刷ユニットの回りであっても容易に設置可能である。また、吸引口部材（８）は版胴（２）又はファニッシャロール（１１）の移動に連動可能であるから、版交換、清掃等の作業に邪魔にならない位置へ自動的に移動させることができる。従って、版交換等の作業に速やかに取り掛かることができ、作業者に対する負担も軽減される。
【図面の簡単な説明】
【００１４】
【図１】本発明に係るグラビア印刷機用排気装置の第一の実施の形態を示す縦断面図である。
【図２】圧胴及び吸引口部材を版胴の上方に移動させた状態を示す縦断面図である。
【図３】図１に対応して示す正面図である。
【図４】図２に対応して示す正面図である。
【図５】本発明に係るグラビア印刷機用排気装置の第二の実施の形態を示す縦断面図である。
【図６】ファニッシャロール及び吸引口部材を版胴の上方に移動させた状態を示す縦断面図である。
【図７】図５に対応して示す正面図である。
【図８】図６に対応して示す正面図である。
【発明を実施するための形態】
【００１５】
以下、図面を参照して本発明を実施するための形態について説明する。
【００１６】
＜実施の形態１＞
グラビア印刷機は同様な構成の複数個の印刷ユニットを有する。各印刷ユニットには、図１及び図３に示すように、インキパン１、版胴２、圧胴３が下から上へと積み上げるごとく配置される。
【００１７】
インキパン１はグラビア印刷用のインキ４を貯留するための容器である。インキパン１は版胴２の軸方向に長く伸びている。インキパン１内には版胴２の軸２ａよりも下方部分が浸かるようにインキ４が貯留される。
【００１８】
版胴２は、その外周面の印刷画像に対応する箇所に多数の微細なセルが形成されてなるもので、水平な軸２ａを介して図示しない印刷機のフレームに軸支される。版胴２が矢印方向に回転することによって、インキパン１内のインキ４が上記セル内に入り込み、その余剰のインキは版胴２の表面に当てられたドクタによって掻き取られる。
【００１９】
圧胴３の水平な軸３ａの両端は各々スライダ６に軸支され、両スライダ６は印刷機のフレームに垂直方向にスライド可能に支持される。スライダ６は版胴２の上方で垂直方向にスライド可能であることから、圧胴３は版胴２に対して接離可能である。スライダ６の昇降は例えばエアシリンダ装置（図示せず）によって行われる。
【００２０】
印刷時には、図１及び図３に示すように、圧胴３が版胴２に接する位置まで降下させられ、スライダが印刷機のフレーム側に固定される。圧胴３と版胴２が矢印方向に駆動されると、両胴３，２間を通るウェブ７に版胴２のセル内のインキが転写され、所定の画像が印刷される。
【００２１】
版胴２の交換等に際しては、図２及び図４に示すように、圧胴３が版胴２の上方に押し上げられ、所定の位置にスライダ６がフレーム側に固定されることによって、圧胴３が版胴２の上方に保持される。これにより、版胴２の交換、清掃等が可能になる。
【００２２】
上記インキパン１内のインキ４の表面からはインキ４に含まれる溶剤が揮発し、そのガスがインキパン１の開口縁から流れ落ちる。
【００２３】
この溶剤ガスを回収するために、インキパン１の近傍にグラビア印刷機用排気装置が設置される。
【００２４】
図１乃至図４に示すように、このグラビア印刷機用排気装置は、インキパン１の口縁近傍において版胴２の軸方向に沿うように配置された溶剤ガスの吸引口部材８と、この吸引口部材８に連結されたフレキシブルダクト９とを具備する。
【００２５】
吸引口部材８は、樋状の溝材の両端が端板８ａによって閉じられた構成とされる。この吸引口部材８が、図１のごとく版胴２の軸２ａを中心にしてドクタ５とは反対側に位置するインキパン１の開口縁１ａに沿って伸びるように配置される。インキパン１の開口縁１ａを越えて下方に流れようとする溶剤ガスＧを受け止めやすくするため、吸引口部材８は望ましくはその上部開口がインキパン１側に傾斜するように配置される。また、図３のごとく、このインキパン１の開口縁１ａの全長にわたって又はインキパン１の両側からはみ出すように伸びる。
【００２６】
インキパン１のドクタ５側の開口部はドクタ５によって覆われるので、溶剤ガスＧのインキパン１外への流出量が少なく、吸引口部材８の設置は省略可能である。
【００２７】
吸引口部材８は、図１及び図２のごとく版胴２に対し接離可能な圧胴３側に所定の連結手段によって連結される。連結手段は具体的には連結棒１０であり、この連結棒１０の両端が上記圧胴３のスライダ６と吸引口部材８の両端板８ａに各々結合される。連結手段は連結棒１０に限らず、他の手段であってもよい。また、連結棒１０の連結箇所はスライダ６や端板８ａに限られるものではなく、他の箇所であってもよい。
【００２８】
フレキシブルダクト９は、可撓性のあるパイプ、伸縮可能で屈曲可能な蛇腹状のパイプ等で形成される。このフレキシブルダクト９の一端が吸引口部材８の一方の端板８ａに連結される。必要に応じて他方の端板にも連結してもよい。フレキシブルダクト９の他端は図示しない回収装置に連結される。フレキシブルダクト９の途中又は回収装置には図示しないブロア等の吸引手段が設けられる。
【００２９】
フレキシブルダクト９によって吸引口部材８と回収装置とが連結されることから、上述のごとく圧胴３と吸引口部材８とが一体で昇降する際に、この動きに追従してフレキシブルダクト９が自在に屈曲又は伸縮する。
【００３０】
次に、印刷機用排気装置の作用について説明する。
【００３１】
各印刷ユニットが図１及び図３の状態にあるときに印刷が行われる。版胴２と圧胴３の回転により両者の接触箇所をウェブ７が走行する。版胴２はインキパン１内のインキ４に接触しつつ回転するので、そのセル内にインキ４が取り込まれる。余剰のインキがドクタ５により掻き落とされた後に、セル内のインキがウェブ７に転写され、これにより版胴２の所定の画像が印刷される。
【００３２】
この印刷の最中、インキパン１内のインキ４に含まれる溶剤が揮発し、この溶剤ガスＧが図１のごとく上記インキパン１の開口縁１ａを越えてインキパン１外へと流れる。溶剤ガスＧは空気よりも重いのでインキパン１の開口縁１ａよりも下方へと流れようとするが、その位置で待ち受ける吸引口部材８によって受け止められる。受け止められた溶剤ガスＧはフレキシブルダクト９内に吸い込まれ、回収装置へと流れる。このように各インキパン１から漏れ出る溶剤ガスＧの大半が周囲に拡散することなく回収されることになるので、各印刷ユニット回りの雰囲気の汚染が防止される。
【００３３】
各印刷ユニットにおける版胴２の交換作業、各印刷ユニット回りの清掃作業等に際しては、これらの作業を円滑に行い得るよう、図２及び図４のごとく圧胴３が版胴２の上方に押し上げられる。その際、作業者の手を煩わせることなく吸引口部材８も圧胴３と一体で自動的に上昇し、また、フレキシブルダクト９の吸引口部材８側の箇所も自動的に屈曲しつつ上昇する。
【００３４】
各種作業が終了した後、図１及び図３のごとく圧胴３が版胴２に対し接触するまで降下させられる。この場合も吸引口部材８が圧胴３と一体で自動的に下降する。これにより、速やかに次の印刷作業に着手可能となる。
【００３５】
＜実施の形態２＞
図５乃至図８に示すように、この実施の形態２では、版胴２へのインキ４の供給がファニッシャロール１１によって行われるようになっている。
【００３６】
ファニッシャロール１１は、図５に示すように、版胴２の軸２ａを中心にしてドクタ５とは反対側に配置される。
【００３７】
図７に示すように、ファニッシャロール１１の軸１１ａは版胴２の軸２ａと平行に伸び、その軸１１ａの両端がアーム１２の一端に回転可能に支持される。アーム１２は図示しない印刷機のフレームに上下方向に回動可能に軸支される。アーム１２の回動は図示しないエアシリンダ装置によって行われる。エアシリンダ装置の作動によって、ファニッシャロール１１は、図５及び図７のごとく版胴２に接する位置と図６及び図８に示すごとく版胴２の斜め上方の位置との間を往復移動可能である。
【００３８】
図５に示すように、ファニッシャロール１１が版胴２に接する箇所の上方には、インキ供給ノズル１３が配置される。インキ供給ノズル１３から吐出されたインキ４は、ファニッシャロール１１と版胴２との接触箇所の谷内に流れ込んだ後、図７に示すように、この接触箇所の両側から流れ落ちて版胴２の下方に設置されたインキパン１によって受け止められる。インキパン１に受け止められたインキ４は図示しないポンプ等によって再び上記インキ供給ノズル１３へと送られる。
【００３９】
ファニッシャロール１１により版胴２に供給されたインキは、実施の形態１の場合と同様にしてセル内に充填され、ドクタ５により余剰分を除去される。そして、ウェブ７に画像となって転写される。
【００４０】
版胴２の交換等に際しては、図６及び図８に示すように、圧胴３が版胴２の上方に押し上げられ、所定の位置にスライダ６が印刷機のフレーム側に固定されることによって、圧胴３が版胴２の上方に保持される。これにより、版胴２の交換、清掃等が可能になる。
【００４１】
上記ファニッシャロール１１と版胴２との接触箇所の両側から流れ落ちるインキ４からは、揮発した溶剤ガスＧが周囲に拡散しようとする。
【００４２】
この溶剤ガスＧを回収するために、上記接触箇所の両側近傍望ましくは両側近傍よりもやや下方から溶剤ガスＧを吸引可能にグラビア印刷機用排気装置が設置される。
【００４３】
図５乃至図８に示すように、このグラビア印刷機用排気装置は、上記接触箇所の両側近傍においてこの接触箇所のＶ字谷よりもやや下方で版胴２の端面とファニッシャロール１１の端面に対向するように配置された溶剤ガスＧの吸引口部材８と、この吸引口部材８に連結されたフレキシブルダクト９とを具備する。
【００４４】
吸引口部材８は、フレキシブルダクト９の先端部が屈曲されることによりフレキシブルダクト９の先端部によって代替される。もちろん、フレキシブルダクト９の先端に別途形成された例えば漏斗状の吸引口部材を取り付けることによっても構成可能である。
【００４５】
吸引口部材８は、図５及び図６のごとく版胴２に対し接離可能なファニッシャロール１１側に所定の連結手段によって連結される。連結手段は具体的には連結具１４であり、この連結具１４がファニッシャロール１１を支える上記アーム１２とフレキシブルダクト９に各々結合される。連結手段は連結具１４に限らず、他の手段であってもよい。
【００４６】
フレキシブルダクト９は、可撓性のあるパイプ、伸縮可能で屈曲可能な蛇腹状のパイプ等で形成される。このフレキシブルダクト９の一端が上述したように吸引口部材８となって上記Ｖ字谷のやや下方で谷側に対向し、他端は図示しない回収装置に連結される。フレキシブルダクト９の途中又は回収装置には図示しないブロア等の吸引手段が設けられる。
【００４７】
先端に吸引口部材８を有するフレキシブルダクト９がファニッシャロール１１側に連結されることから、上述のごとく図５及び図７の下降位置と図６及び図８の上昇位置との二位置間をファニッシャロール１１が往復移動する際に、この動きに追従してフレキシブルダクト９が吸引口部材８を伴って自在に屈曲又は伸縮する。
【００４８】
次に、印刷機用排気装置の作用について説明する。
【００４９】
各印刷ユニットが図５及び図７の状態にあるときに印刷が行われる。版胴２と圧胴３の回転により両者の接触箇所をウェブ７が走行する。版胴２はファニッシャロール１１に接しつつ回転し、そのセル内にインキ４が充填される。余剰のインキがドクタ５により掻き落とされた後に、セル内のインキがウェブ７に転写され、これにより版胴２の所定の画像が印刷される。
【００５０】
この印刷の最中、インキ供給ノズル１３から供給されて図７のごとく版胴２とファニッシャロール１１との間の谷の両側から流れ落ちるインキ４から溶剤が揮発する。溶剤ガスＧは空気よりも重いので下方へと流れようとするが、上記谷の両側のやや下方で待ち受ける吸引口部材８によってフレキシブルダクト９内に吸い込まれ、回収装置へと送られる。このように版胴２とファニッシャロール１１との間の谷の両側から流れ落ちるインキ４から揮発する溶剤ガスＧの大半が周囲に拡散することなく回収されることになるので、各印刷ユニット回りの雰囲気の汚染が防止される。
【００５１】
各印刷ユニットにおける版胴２の交換作業、各印刷ユニット回りの清掃作業等に際しては、これらの作業を円滑に行い得るよう、図６及び図８のごとく圧胴３が版胴２の上方に押し上げられる。また、これと同時に又はこれに前後してファニッシャロール１１がアーム１２ごと上方に押し上げられる。その際、作業者の手を煩わせることなく吸引口部材８及びフレキシブルダクト９もファニッシャロール１１及びアーム１２と一体で自動的に屈曲しつつ上昇する。
【００５２】
各種作業が終了した後、図５及び図７のごとく圧胴３が版胴２に対し接触するまで降下させられる。また、吸引口部材８を一体で有するフレキシブルダクト９とファニッシャロール１１が一体で自動的に下降する。これにより、速やかに次の印刷作業に着手可能となる。
【００５３】
その他、実施の形態２において実施の形態１におけるものと同じものは同一の符号を付して示すこととし、詳しい説明は省略する。
【００５４】
なお、本発明は、上記実施の形態に限定されるものではなく、種々の変更が可能である。
【符号の説明】
【００５５】
１…インキパン
２…版胴
２ａ…版胴の軸
３…圧胴
４…インキ
５…ドクタ
８…吸引口部材
９…フレキシブルダクト
１１…ファニッシャロール
Ｇ…溶剤ガス
【図１】
2013202808.tif 000003
【図２】
2013202808.tif 000004
【図３】
2013202808.tif 000005
【図４】
2013202808.tif 000006
【図５】
2013202808.tif 000007
【図６】
2013202808.tif 000008
【図７】
2013202808.tif 000009
【図８】
2013202808.tif 000010